(57)【要約】【課題】  本発明は、テープ送出口からわずかに突出した印刷テープのカートリッジケース内への引込みを積極的に阻止することができるテープカートリッジおよびこれを備えたテープ印刷装置を提供することを課題としている。【解決手段】  テープカートリッジ６は、巻回した印刷テープ１２と、印刷テープ１２を内部に収容したカートリッジケース２３とを有し、カートリッジケース２３の周壁３６に形成したスリット状のテープ送出口２６から印刷テープ１２の繰出し端部４３をわずかに突出させ、テープ送出口２６を形成した周壁３６の送出口形成縁部４４に、印刷テープ１２に摺接し、印刷テープ１２の正送りを許容すると共に逆送りを阻止する逆戻り阻止機構２７を有していることを特徴とする。【選択図】  図４
2005225003.tif 000002
【特許請求の範囲】
【請求項１】
巻回した印刷テープと、前記印刷テープを内部に収容したカートリッジケースとを有し、前記カートリッジケースの周壁に形成したスリット状のテープ送出口から前記印刷テープの繰出し端部をわずかに突出させた状態で取り扱われるテープカートリッジにおいて、
前記テープ送出口を形成した前記周壁の送出口形成縁部に、前記印刷テープに摺接し、前記印刷テープの正送りを許容すると共に逆送りを阻止する逆戻り阻止機構を有していることを特徴とするテープカートリッジ。
【請求項２】
前記逆戻り阻止機構は、基端側を前記送出口形成縁部の長辺部位に固着し、先端側を前記テープ送出口に臨む前記印刷テープに摺接する摺接部材で構成されていることを特徴とする請求項１に記載のテープカートリッジ。
【請求項３】
前記逆戻り阻止機構は、基端側を前記送出口形成縁部の両長辺部位に固着し、先端側を前記テープ送出口に臨む前記印刷テープに表裏から摺接する一対の摺接部材で構成されていることを特徴とする請求項１に記載のテープカートリッジ。
【請求項４】
前記各摺接部材は、複数の摺接片から成り、
前記一方の摺接部材の複数の摺接片と、前記他方の摺接部材の複数の摺接片とは、前記テープ送出口の長辺方向に交互に配設されていることを特徴とする請求項３に記載のテープカートリッジ。
【請求項５】
前記摺接部材の基端側は、前記送出口形成縁部の前記長辺部位における外面、内面および内端面のいずれかに固着されていることを特徴とする請求項２または３に記載のテープカートリッジ。
【請求項６】
前記摺接部材は、先端側が正送り方向に湾曲した可撓性部材で構成されていることを特徴とする請求項２ないし５のいずれかに記載のテープカートリッジ。
【請求項７】
請求項１ないし６のいずれかに記載のテープカートリッジと、前記テープカートリッジを着脱自在に装着すると共に、前記印刷テープに印刷を行うサーマルヘッドと、を備えたことを特徴とするテープ印刷装置。
【発明の詳細な説明】
【技術分野】
【０００１】
本発明は、印刷テープの繰出し端部をわずかに突出させた状態で取り扱われるテープカートリッジおよびこれを備えたテープ印刷装置に関するものである。
【背景技術】
【０００２】
従来、この種のテープ印刷装置のテープカートリッジでは、わずかに突出した印刷テープの繰出し端部が、カートリッジ内部に押し込まれると、繰出し端部がテープ送出口から外れて、カートリッジ外部への繰出しが不可能になる。このため、印刷テープがカートリッジ内部へ巻き戻るのを阻止すべく、印刷テープの出口にくちばし形状のテープ受け部を張出し形成したものが知られている。
このテープカートリッジでは、印刷テープが誤ってカートリッジ内部側に押し込まれても、上記テープ受け部の長さ分、印刷テープがカートリッジ内部に脱落しにくくなっている。
【特許文献１】特開平５−１８５６７９号公報
【発明の開示】
【発明が解決しようとする課題】
【０００３】
上記従来のテープカートリッジでは、印刷テープの多少の押し込みやテープカートリッジ自体の軽度の振動には、上記の巻き戻りを阻止できるものの、印刷テープを物理的に押さえているわけではないため、装置本体に装着されて逆転止めを解除された後、強い押し込みや衝撃により印刷テープが引き込まれてしまう問題がある。
【０００４】
本発明は、テープ送出口からわずかに突出した印刷テープのカートリッジケース内への引込みを積極的に阻止することができるテープカートリッジおよびこれを備えたテープ印刷装置を提供することを課題としている。
【課題を解決するための手段】
【０００５】
本発明のテープカートリッジは、巻回した印刷テープと、印刷テープを内部に収容したカートリッジケースとを有し、カートリッジケースの周壁に形成したスリット状のテープ送出口から印刷テープの繰出し端部をわずかに突出させた状態で取り扱われるテープカートリッジにおいて、テープ送出口を形成した周壁の送出口形成縁部に、印刷テープに摺接し、印刷テープの正送りを許容すると共に逆送りを阻止する逆戻り阻止機構を有していることを特徴とする。
【０００６】
この構成によれば、逆戻り阻止機構は印刷テープに直接摺接することにより、印刷テープに摩擦力を付与し、いわゆるストッパとして機能する。すなわち、逆戻り阻止機構は送出口形成縁部において物理的な逆止めとして作用し、印刷テープが送出口形成縁部からカートリッジ内部に脱落するのを防止している。これにより、印刷テープの押し込みや、テープカートリッジの衝撃に対しても、上記の摩擦力が印刷テープに働いて、印刷テープの巻き戻るのを有効に阻止することができる。
【０００７】
この場合、逆戻り阻止機構は、基端側を送出口形成縁部の長辺部位に固着し、先端側をテープ送出口に臨む印刷テープに摺接する摺接部材で構成されていることが、好ましい。
【０００８】
この構成によれば、摺接部材は基端側を送出口形成縁部に支持されて、先端側により印刷テープに摺接すべく、印刷テープをかすかに押圧している。一方、印刷テープはそれ自身剛性を有しているため、摺接を受ける部分で折れ曲がるのでなく、上記の押圧により摺接部材が取り付けられている側と反対側の送出口形成縁部の内端面に、印刷テープの全体が押し付けられるようになる。すなわち、逆送り方向に移動する印刷テープは、摺接部材と上記の内端面と間で挟持されこの両者から摩擦力を受けて移動を停止し、これによりカートリッジ内部へ巻戻りが阻止される。
【０００９】
この場合、逆戻り阻止機構は、基端側を送出口形成縁部の長辺部位に固着し、先端側をテープ送出口に臨む印刷テープに表裏から摺接する一対の摺接部材で構成されていることが、好ましい。
【００１０】
この構成によれば、印刷テープを一対の摺接部材が挟むように摺接することができるため、逆戻り方向に移動する印刷テープに摩擦力を付与するのが容易となり、逆戻り阻止をより効果的に行うことができる。また、両摺接部材の印刷テープへの押圧力は相殺され、印刷テープをテープ送出口のセンター位置に案内することができる。
【００１１】
この場合、各摺接部材は、複数の摺接片から成り、一方の摺接部材の複数の摺接片と、他方の摺接部材の複数の摺接片とは、テープ送出口の長辺方向に交互に配設されていることが、好ましい。
【００１２】
この構成によれば、摺接位置に臨む印刷テープは、各摺接片の間に挟まれることにより、テープ送出口の延在方向に波打つ波型に撓み変形する。これにより、印刷テープと一対の摺接部材との摩擦力が増して、より効果的に逆戻りを防止することができる。
【００１３】
この場合、摺接部材の基端側は、送出口形成縁部の長辺部位における外面、内面および内端面のいずれかに固着されていることが、好ましい。
【００１４】
この構成によれば、外面、内面および内端面のいずれに摺接部材の基端側が取り付けられていても、印刷テープは送出口形成縁部からカートリッジ内部に脱落することがない。すなわち、摺接部材を外面に固着すれば、印刷テープが摺接を受ける摺接部分からカートリッジの内面に至る長さ分だけ、印刷テープがカートリッジ内部に脱落することが起こりにくくなり、内面に固着すれば取り扱いの邪魔になることがない。また、内端面に固着すればこれらの長所を兼ね備えることができる。
【００１５】
この場合、摺接部材は、先端側が正送り方向に湾曲した可撓性部材で構成されていることが、好ましい。
【００１６】
この構成によれば、摺接部材により逆戻りする印刷テープに対し、圧縮反力を作用させることができると共に、摺接面積を増すことができ、先端側で効率よく摩擦力を付与できる一方、正送りする印刷テープに対しては、外側への曲げ力が作用し、先端側が適宜離間し正送りの抵抗を減ずることができる。
【００１７】
本発明のテープ印刷装置は、上記のテープカートリッジと、テープカートリッジを着脱自在に装着すると共に、印刷テープに印刷を行うサーマルヘッドと、を備えたことを特徴とする。
【００１８】
この構成によれば、上記の巻き戻りを阻止したテープカートリッジを用いて印刷することができるため、ユーザが効率よく印刷テープに印刷することができる。
【発明を実施するための最良の形態】
【００１９】
以下、添付図面を参照して、本発明を実施するための最良の形態にかかるテープカートリッジおよびこれが装着されるテープ印刷装置について詳細に説明する。テープ印刷装置は、テープカートリッジを介して装置内に装着した印刷テープに、所望の文字や図形などを印刷（印字）するとともに、印刷テープの印刷済み部分を所定の長さに切断してラベルを作製するものである。
【００２０】
図１は開蓋状態のテープ印刷装置１の外観斜視図であり、同図に示すようにテープ印刷装置１は、上下２分割の装置ケース２により外殻が形成され、装置ケース２の前部上面には各種入力キーを備えたキーボード３が配置されるとともに、後部上面には開閉蓋４が配設されている。開閉蓋４の内側にはディスプレイ５とテープカートリッジ６を装着するためのカートリッジ装着部７が窪入形成されており、テープカートリッジ６は開閉蓋４を開放した状態でカートリッジ装着部７に着脱される。また、開閉蓋４にはこれを閉止した状態でディスプレイ５を視認するための覗き窓８が形成される。
【００２１】
装置ケース２の左側部には、カートリッジ装着部７と装置外部とを連通するテープ排出口９が形成され、このテープ排出口９には、送り出した印刷テープ１２を切断するためのテープカッタ１８の可動刃１９と固定刃２０が臨んでいる（図２参照）。そして、テープ排出口９から印刷済みの印刷テープ１２が送り出されることにより、この印刷テープ１２がテープカッタ１８により切断される。
【００２２】
一方、カートリッジ装着部７には、ヘッドカバー１３に覆われた発熱素子を有する印刷ヘッド１４と、印刷ヘッド（サーマルヘッド）１４に対峙するプラテン駆動軸１５と、後述のインクリボン２４の巻取り駆動軸１６と、テープリール２８の位置決め突起１７とを備えている。また、カートリッジ装着部７の下側には、図示省略したがプラテン駆動軸１５および巻取り駆動軸１６を回転させるモータ駆動のテープ送り機構が内蔵される。
【００２３】
図２は上ケース２１の一部を破断して残したテープカートリッジ６の平面図である。同図に示すように、テープカートリッジ６は、上ケース２１と下ケース２２とから成るカートリッジケース２３と、カートリッジケース２３内にそれぞれロール状に巻回して収容した印刷テープ１２およびインクリボン２４と、カートリッジケース２３内に収容した上記の印刷ヘッド１４に対応するプラテンローラ２５と、カートリッジケース２３のテープ送出口２６の外側に設けた逆戻り阻止機構２７と、を有している。図２において、テープ送出口２６には、テープ印刷装置１側のテープカッタ１８の可動刃１９および固定刃２０が臨んでいる。
【００２４】
また、カートリッジケース２３には、印刷テープ１２を巻回したテープリール２８と、インクリボン２４を巻回したリボン巻出しリール２９と、使用後のインクリボン２４を巻き取る巻取りリール３１とが回転自在に収容されている。テープリール２８に巻回される印刷テープ１２は、その先端（繰出し端部４３）をわずかに突出させたままテープカートリッジ６に保持されている。テープカートリッジ６は、印刷テープ１２を突出させた状態のまま取り扱われ、テープ印刷装置１に装着される。
【００２５】
カートリッジケース２３の上ケース２１は、天壁３２と天壁３２の縁部から下垂した上周壁３３とを有し、同様に下ケース２２は底壁３５と底壁３５の縁部から立ち上がる下周壁３４とを有している。すなわち、カートリッジケース２３は、上周壁３３と下周壁３４とからなる周壁３６が構成されている。また、カートリッジケース２３には、プラテンローラ２５の近傍に位置して、カートリッジケース２３を上下に貫通する略方形の貫通開口３７が形成されており、ユーザが周壁３６を持ってテープカートリッジ６をカートリッジ装着部７に装着すると、この貫通開口３７に装置側から印刷ヘッド１４が臨んでプラテンローラ２５と対峙する。また、この状態では、装置側からプラテンローラ２５およびリボン巻取りリール３１にそれぞれプラテン駆動軸１５および巻取り駆動軸１６が係合する。すなわち、プラテンローラ２５およびリボン巻取りリール３１は駆動リールとして機能し、テープリール２８およびリボン巻出しリール２９は従動リールとして機能する。
【００２６】
テープリール２８から巻き出された印刷テープ１２は、テープガイドピン３８に案内されてプラテンローラ２５に至り、この部分で印刷されてからカートリッジケース２３の側面（周壁３６）に形成したテープ送出口２６から送り出される。一方、リボン巻出しリール２９から巻き出されたインクリボン２４は、第１リボンピン４０および第２リボンピン４１に案内され、プラテンローラ２５に至る。ここでインクリボン２４は、印刷テープ１２に重なって印刷に供され、さらに上記の貫通開口３７を形成する開口壁４２に案内されてＵターンし、リボン巻取りリール３１に巻き取られる。この場合、駆動側のプラテンローラ２５およびリボン巻取りリール３１は同期して回転するため、印刷テープ１２およびインクリボン２４は同時に走行し、また印刷テープ１２には走行しながら印刷が行われる。そして、テープ送出口２６から送り出された印刷テープ１２は、装置側のテープカッタにより切断され、ラベルとして使用される。この場合、テープカッタは、ハサミ形式のもので構成され、テープ送出口２６の近傍に配設されている。このため、印刷テープ１２の繰出し端部４３は、テープ送出口２６から、わずかに突出した状態を維持する。
【００２７】
図３に示すように、テープカートリッジ６の周壁３６には、上周壁３３および下周壁３４が向き合うようにスリット状に切欠かれ、全体として略長方形を成すテープ送出口２６が形成されている。図３のテープ送出口２６廻りの拡大断面図に示すように、テープ送出口２６は、周壁３６の送出口形成縁部４４により画成されている。送出口形成縁部４４は、テープ送出口２６の外部の周囲を構成する外面縁部４５（外面）と、テープ送出口２６の内部の周囲を構成する内面縁部４６（内面）と、テープ送出口２６の四周を形成し、周壁３６の肉厚方向に延在する内端面４７と、を有している。そして、これら外面縁部４５、内面縁部４６および内端面４７は長辺方向に沿う一対の長辺部位４５ａ、４６ａ、４７ａと、短辺方向に沿う一対の短辺部位４５ｂ、４６ｂ、４７ｂと、をそれぞれ有し、プラテンローラ２５から送られる印刷テープ１２は、主に、内端面４７の長辺部位４７ａおよび短辺部位４７ｂにガイドされながら、テープカートリッジ６の外部に排出される。
【００２８】
本実施形態の逆戻り阻止機構２７について、図３および図４を参照しながら説明する。逆戻り阻止機構２７は、送出口形成縁部４４の外面縁部４５の長辺部位４５ａにその基端側が固着され、その先端側で印刷テープ１２に摺接する摺接部材４８を有している。摺接部材４８は、上記の上周壁３３の外側にテープ送出口２６の長辺（外面縁部４５の長辺部位４５ａ）に沿って接着又は溶着により取り付けられており、可撓性を有する部材（例えば、ゴム、樹脂フィルム、モルトプレン等）により先端側に細くなるヒレ状に形成されている。また、先端側は印刷テープ１２が送られる正送り方向に湾曲形成されており、印刷テープ１２に圧縮反力を作用させやすく、且つ摺接面積が増加するようになっている。なお、摺接部材４８の摺接面を微小な鋸歯状の断面にし、逆送り方向に抵抗が大きくなる形態にすることが好ましい。
【００２９】
摺接部材４８は、テープ送出口２６から送り出された印刷テープ１２に対し、全体を外向き略斜めに延在しており、その先端側を湾曲させた状態で印刷テープ１２の裏面（剥離紙側）に摺接している。すなわち、摺接部材４８の先端側はテープ送り方向に向かって徐々に印刷テープ１２に近接するように形成されており、その先端側で印刷テープ１２に摺接している。これにより、印刷テープ１２は対向する内端面４７の長辺部位４７ａに押し付けられながら、テープカートリッジ６の外部に送られる。なお本実施形態では、摺接部材４８をテープ送出口２６の長辺より幅狭に構成しているが、テープ送出口２６の長辺と同幅に構成してもよい。また、摺接部材４８は、剥離紙側でなく印刷テープ１２の本体側に摺接させてもよい。
【００３０】
次に、摺接部材４８による印刷テープ１２の逆戻り阻止動作について説明する。摺接部材４８は、その可撓性により適宜印刷テープ１２に離接して、印刷テープ１２の正送りを許容すると共にその逆戻りを阻止するものである。
【００３１】
図４に示すように、摺接部材４８は、静止状態でテープ送出口２６から繰出し端部４３（先端）をわずかに突出させた印刷テープ１２に先端側を接触させている。この状態で、上記のテープ送り機構により印刷テープ１２が正送り方向に送られると、摺接部材４８は正送りされる印刷テープ１２との摩擦により正送り方向に力を受ける。これにより、摺接部材４８全体が正送り方向に撓み変形が加えられる（図４参照）。この摺接状態において、印刷テープ１２の正送りに対する摩擦力は、摺接部材４８が開く方向に分力を受けて軽減されるため、印刷テープ１２の正送りが許容されている。
【００３２】
一方、印刷テープ１２に逆戻り方向の力が作用すると、逆送りが開始された瞬間に印刷テープ１２との摩擦により、摺接部材４８には巻き戻り方向に撓み変形が加えられる。このとき、摺接部材４８に圧縮力が作用し、その圧縮反力が印刷テープ１２を強く押圧する（図４参照）。このように作用する印刷テープ１２への押圧は、印刷テープ１２自身の有する剛性によってその内端面４７側にも伝えられ、印刷テープ１２全体を内端面４７の長辺部位４７ａに押し付ける。これにより、印刷テープ１２は摺接部材４８の先端側と長辺部位４７ａとの２箇所に摩擦力が作用して、逆戻りが阻止される。以上の原理により、カートリッジ単体で取り扱う場合のみならず、印刷装置に装着された状態においても印刷テープ１２の巻き戻りが阻止される。
【００３３】
以上がテープカートリッジ６及びこれを備えたテープ印刷装置１の第１実施形態である。第１実施形態によれば、テープカートリッジ６の外側で印刷テープ１２の先端側（繰出し端部４３）が保持されているため、テープ送出口２６から飛び出した長さ分、印刷テープ１２のテープカートリッジ６内への脱落を起こりにくくすることができる。また、テープカートリッジ６に逆戻り阻止機構２７が備えられているため、テープ印刷装置１への装着状態および非装着状態のいずれの状態においても、テープ送りを許容しつつ印刷テープ１２が逆戻りすることがない。
【００３４】
次に図５を参照して、逆戻り阻止機構２７の第２実施形態について、主に第１形態と異なる部分について説明する。第２実施形態において、逆戻り阻止機構２７は、基端側が内面縁部４６長辺部位４６ａに（テープ送出口２６の長辺に沿うように）固着した摺接部材４８により構成されている。摺接部材４８はその先端側を内端面４７の長辺部位４７ａに接触させるように配設されており、長辺部位４７ａに臨む印刷テープ１２を摺接部材４８と内端面４７の長辺部位４７ａとの間に挟持するようになっている。
【００３５】
第２実施形態では内面縁部４６に、摺接部材４８の装着溝５０ａを構成する保持部５０が外面縁部４５の長辺部位４５ａに（テープ送出口２６の長辺に沿うように）一体に形成されており、保持部５０の小口端から摺接部材４８が着脱自在に装着されている。一方、摺接部材４８は、装着溝５０ａに嵌合する矩形基部４８ａと矩形基部４８ａから延びる部材本体４８ｂとで一体に形成されており、部材本体４８ｂは、長辺部位４７ａに対し全体を斜めに延在し、その先端側が印刷テープ１２に摺接されている。印刷テープ１２の巻戻り方向の送りに対しては、上記第１実施形態と同様に、摺接部材４８の先端側により印刷テープ１２を長辺部位４７ａ側に強く押圧する。これにより、印刷テープ１２の巻戻りが阻止される。一方、印刷テープ１２の正送りに対しては、印刷テープ１２に作用する摩擦力を減じることで正送りが許容される。
【００３６】
第２実施形態によれば、逆戻り方向に移動する印刷テープ１２は、摺接部材４８の押圧により摺接部材４８とその反対側に位置する長辺部位４７ａとの間に挟まれる様に保持されるため、印刷テープ１２の逆戻りをより効果的に阻止することができる。また、摺接部材４８がテープカートリッジ６の内部に取り付けられているため、テープカートリッジ６の取扱い上の邪魔になることがない。更に、摺接部材４８を着脱自在に構成されており、テープカートリッジ６の再利用の際に、劣化した摺接部材４８のみ交換することができる。
【００３７】
次に図６を参照して、逆戻り阻止機構２７の第３実施形態について説明する。第３実施形態では、逆戻り阻止機構２７を構成する摺接部材４８はテープ送出口２６の内部に収容されている。摺接部材４８は、その基端側を送出口形成縁部４４の内端面４７の長辺部位４７ａに固着され、その先端側を対向する長辺部位４７ａの最も外部側（テープカートリッジ６の外側）に当接させている。すなわち、摺接部材４８は、内端面４７に固着される平板基部４８ｃと平板基部４８ｃから延びる部材本体４８ｄとで一体に形成されており、部材本体４８ｄが長辺部位４７ａに対し全体が斜めに延在し、先端側が周壁３６の外側に張り出さないようになっている。本実施形態においても、逆戻りする印刷テープ１２は摺接部材４８の先端側と長辺部位４７ａとの間で挟まれて停止するようになっており、これにより印刷テープ１２の巻戻りが防止されている。
【００３８】
第３実施形態によれば、逆戻り方向に移動する印刷テープ１２は、摺接部材４８の押圧により摺接部材４８とその反対側に位置する長辺部位４７ａとの間に挟まれる様に保持されるため、印刷テープ１２の逆戻りをより効果的に阻止することができる。また、摺接を受ける部分から周壁３６の内面の距離も比較的長く取ることができ、印刷テープ１２の脱落を起こりにくくすることができる。さらに、摺接部材４８がテープ送出口２６の内部に位置しているため、取り扱いの邪魔になることがない。
【００３９】
次に図７を参照して、逆戻り阻止機構２７の第４実施形態について説明する。第４実施形態では、逆戻り阻止機構２７は相互に対面する一対の摺接部材４８で構成されており、各摺接部材４８の基端側は、外面縁部４５の長辺部位４５ａに（テープ送出口２６の長辺に沿うように）固着されている。各摺接部材４８は、第１実施形態の摺接部材４８と同様の形態を有しており、テープ送出口２６を挟んで配設されると共に、これらの先端側は互いの先端側が接触するように構成されている。すなわち、両摺接部材４８の先端部が、送られてゆく印刷テープ１２に表裏から摺接するようになっている。これにより、印刷テープ１２の逆戻りに対しては、逆戻り方向に力を受けた両摺接部材４８が同時に圧縮力を受け、その結果印刷テープ１２は表裏から強く押圧されて摩擦力を受け、逆戻りが阻止される。一方、印刷テープ１２の正方向への送りに対しては、先端側が適宜印刷テープ１２により、拡開する方向に分力を受け、印刷テープ１２の正送りは許容されている。
【００４０】
第４実施形態によれば、各摺接部材４８により表裏から摺接しているため、印刷テープ１２を押圧する押圧力を大きくすることができ、効果的に印刷テープ１２の逆戻りを阻止することができる。また、両摺接部材４８の押圧力は相殺されているため、印刷テープ１２をテープ送出口２６の幅方向センター位置に案内することができる。しかも、テープカートリッジ６の外側の摺接部位で印刷テープ１２の先端側が保持されているため、摺接部位から周壁３６の内面の長さの分、印刷テープ１２の脱落を起こりにくくすることができる。
【００４１】
なお、第４実施形態に記載の各摺接部材４８は、第２実施形態と同様に内面縁部４６にテープ送出口２６の長辺に沿って設けた保持部５０により、各摺接部材４８が着脱自在に保持されるようにしてもよい（図８参照）。この実施形態によれば、逆戻りを阻止する上記と同様の押圧力が得られるだけでなく、テープカートリッジ６の再利用の際に劣化した各摺接部材４８を簡単に交換することができる。しかも、周壁３６の外側に突出することがないため、取り扱いの邪魔になることがない。
【００４２】
なお、第４実施形態に記載の一対の摺接部材４８は、第３実施形態と同様に、基端側を送出口形成縁部４４の内端面４７の長辺部位４７ａに固着され、その先端側を周壁３６の外面より内側に位置するように形成してもよい（図９参照）。
【００４３】
次に図１０を参照して、逆戻り阻止機構２７の第５実施形態について説明する。第５実施形態では、逆戻り阻止機構２７は、基端側をテープ送出口２６の長辺に沿うように固着した一対の摺接部材４８で構成されている。また、一対の摺接部材４８の先端側はそれぞれ複数の摺接片５２を有しており、印刷テープ１２を表裏から摺接する両摺接部材４８の先端部において、複数の摺接片５２がテープ送出口２６の延在方向に互い違いに噛み合うように配設されている。印刷テープ１２は、これらの摺接片５２により表裏から摺接されることにより、テープ送出口２６の長辺方向に波打つ波型形状に変形され、各摺接部材４８との間に大きな摩擦力が生じるようになっている。
【００４４】
第５実施形態によれば、波型形状に変形された印刷テープ１２と一対の摺接部材４８との間に大きな摩擦力を発生させることができるため、より一層、印刷テープ１２の逆戻りを防ぐことができる。なお、摺接片５２の形状は、略方形の他、図１１に示すように、三角形状（（ａ）参照）、かまぼこ形状（（ｂ）参照）、台形状（（ｃ）参照）、および逆台形状（（ｄ）参照）等でもよい。
【図面の簡単な説明】
【００４５】
【図１】開蓋状態のテープ印刷装置の外観斜視図である。
【図２】上ケースの一部を破断して残したテープカートリッジの平面図である。
【図３】テープ送出口廻りの平面図であり、（ａ）はテープ送出口の表面視図、（ｂ）はテープ送出口の裏面視図である。
【図４】第１実施形態にかかる逆戻り阻止機構の縦断面図である。
【図５】第２実施形態にかかる逆戻り阻止機構の縦断面図である。
【図６】第３実施形態にかかる逆戻り阻止機構の縦断面図である。
【図７】第４実施形態にかかる逆戻り阻止機構の縦断面図である。
【図８】第４実施形態にかかる逆戻り阻止機構のバリエーションの１つを示す縦断面図である。
【図９】第４実施形態にかかる逆戻り阻止機構のバリエーションの１つを示す縦断面図である。
【図１０】第５実施形態にかかる逆戻り阻止機構の縦断面図である。
【図１１】摺接片の形状を示す説明図である。
【符号の説明】
【００４６】
６    テープカートリッジ                  １２  印刷テープ
１４    サーマルヘッド                      ２３  カートリッジケース
４３    繰出し端部                          ４５  外面
４６    内面                                ４７  内端面
４７ａ  長辺部位                            ４８  摺接部材
５２    摺接片
【図１】
2005225003.tif 000003
【図２】
2005225003.tif 000004
【図３】
2005225003.tif 000005
【図４】
2005225003.tif 000006
【図５】
2005225003.tif 000007
【図６】
2005225003.tif 000008
【図７】
2005225003.tif 000009
【図８】
2005225003.tif 000010
【図９】
2005225003.tif 000011
【図１０】
2005225003.tif 000012
【図１１】
2005225003.tif 000013